(57)【要約】【課題】この発明は、番組表上に放送局固有のロゴマークを表示することができ、更に放送局固有のロゴマークを取得していない場合は放送形態に合わせたロゴマークを表示することができる。すなわち、放送局固有のロゴマークが定義されているデジタル放送と、定義されていないアナログ放送を同じ電子番組表上に同じデザインとして配置することが可能になる。【解決手段】この発明は、電子番組表上に放送局毎のロゴマークを表示し、またロゴマークが存在しない放送局については放送形態に合わせた標準のロゴマークを表示するようにしたものである。【選択図】  図１
2010200374.tif 000002
【特許請求の範囲】
【請求項１】
固有のロゴマークがある放送局および固有のロゴマークがない放送局の少なくとも一方からの放送を受信する放送受信手段と、
前記固有のロゴマークがない放送局についてはその放送形態に合わせた標準ロゴマークを登録するロゴマーク記録手段と、
前記固有のロゴマークがある放送局からの放送なのか前記固有のロゴマークがない放送局からの放送なのかという違いを要因として、登録されている前記標準ロゴマークを取得するか否かを判定する判定手段と、
前記判定手段により前記標準ロゴマークを取得することが判定された場合は、前記固有のロゴマークがない放送局に対して、登録されている前記標準ロゴマークを提供する処理手段
を具備したロゴマーク処理装置。
【請求項２】
前記標準ロゴマークが、地上、ＢＳ、ＣＳ、あるいはＣＡＴＶの文字を含む請求項１に記載のロゴマーク処理装置。
【請求項３】
前記放送が、地上アナログ放送、地上デジタル放送、ＢＳアナログ放送、ＢＳデジタル放送、ＣＳ放送、あるいはＣＡＴＶ放送を含む請求項１に記載のロゴマーク処理装置。
【請求項４】
固有のロゴマークがある放送局および固有のロゴマークがない放送局の少なくとも一方からの放送を受信し、
前記固有のロゴマークがある放送局からの放送なのか前記固有のロゴマークがない放送局からの放送なのかという違いを要因として、前記放送に合わせて登録されている標準ロゴマークを取得するか否かを判定し、
前記標準ロゴマークを取得することが判定された場合は、前記固有のロゴマークがない放送局に対して、登録されている前記標準ロゴマークを表示するロゴマーク表示方法。
【請求項５】
前記標準ロゴマークを、番組表に含めて表示する請求項４に記載のロゴマーク表示方法。
【請求項６】
放送局固有のロゴを送出することがない放送を含め複数種類の放送形態の放送を受信する放送受信手段と、
前記放送受信手段で受信されるかあるいは通信回線を介して供給される放送局ごとのロゴマークを記録し、前記複数種類の放送形態に合わせた複数の標準ロゴマークを予め登録するロゴマーク記録手段と、
前記ロゴに関する放送の情報源そのものが違うことを要因として、予め登録されている前記標準ロゴマークを取得するか否かを判定する判定手段と、
前記放送受信手段で受信されるかあるいは通信回線を介して供給される番組ごとの番組情報から今後放送される各放送局の番組に対する番組表を作成して表示し、各放送局のロゴマークを前記ロゴマーク記録手段から読取って表示するとともに、前記判定手段により前記標準ロゴマークを取得することが判定された場合は、前記放送局固有のロゴを送出することがない放送に対して、前記ロゴマーク記録手段に予め登録されている前記標準ロゴマークを表示する処理手段
を具備した電子番組表表示装置。
【請求項７】
放送局固有のロゴを送出することがない放送を含め複数種類の放送形態の放送を受信する放送受信手段と、
前記放送受信手段で受信されるかあるいは通信回線を介して供給される放送局ごとのロゴマークを記録し、前記複数種類の放送形態に合わせた複数の標準ロゴマークを予め登録するロゴマーク記録手段と、
前記ロゴに関する放送の情報源そのものが違うことを要因として、予め登録されている前記標準ロゴマークを取得するか否かを判定する判定手段と、
前記放送受信手段で受信されるかあるいは通信回線を介して供給される番組ごとの番組情報から今後放送される各放送局の番組に対する番組表を作成し、各放送局のロゴマークを前記ロゴマーク記録手段から読取り、前記判定手段により前記標準ロゴマークを取得することが判定された場合は、前記放送局固有のロゴを送出することがない放送に対して、前記ロゴマーク記録手段に予め登録されている前記標準ロゴマークを提供する処理手段と、
前記処理手段により提供されている番組表を用いて録画予約された番組が前記放送受信手段で受信された際に、この番組の放送内容を録画する録画手段
を具備した録画装置。
【請求項８】
前記番組情報が、放送局、開始日時、終了日時、およびタイトルを含む請求項７に記載の録画装置。
【発明の詳細な説明】
【技術分野】
【０００１】
この発明は、放送番組の録画予約を行う為の電子番組表を表示する電子番組表表示装置及び録画装置に関する。
【背景技術】
【０００２】
周知のように、近年では、デジタル放送された番組を、例えばＤＶＤ（Digital Versatile Disk）やＨＤＤ（Hard Disk Drive）等の記録媒体にデジタル記録する録画再生装置が普及している。
【０００３】
この種の録画再生装置は、一般に、デジタル放送によって定期的に配信されるＥＰＧ（Electronic Program Guide）情報に基づいて、電子番組表を作成して表示し、その表示されている番組の選択により、所望の番組を録画予約する録画予約機能を搭載している。
【０００４】
この録画予約機能では、受信したＥＰＧ情報に基づいて、録画予約を要求する番組の放送日、放送開始時刻、放送終了時刻及び放送チャンネル等を含む録画予約情報を生成し、その録画予約情報を登録することによって録画予約を行っている。（特許文献１）
この場合、電子番組表を表示する際にし、放送局毎のロゴマークを表示する機能は無く、一覧性に欠ける。
【先行技術文献】
【特許文献】
【０００５】
【特許文献１】特開平１０−０２１６０１号公報
【発明の概要】
【発明が解決しようとする課題】
【０００６】
そこで、この発明は上記事情を考慮してなされたもので、電子番組表上に放送局毎のロゴマークを表示し、またロゴマークが存在しない放送局については放送形態に合わせた標準のロゴマークを表示することにより、番組表の一覧性を高め、ユーザの使い勝手を向上する効果がある電子番組表表示装置及び録画装置を提供することを目的とする。
【課題を解決するための手段】
【０００７】
この発明の電子番組表表示装置は、放送を受信する放送受信手段と、この放送受信手段で受信されるかあるいは通信回線を介して供給される放送局ごとのロゴマークのビットマップデータを記録媒体に記録する記録手段と、上記放送受信手段で受信されるかあるいは通信回線を介して供給される番組ごとの番組情報から今後放送される各放送局ごとの番組に対する番組表を作成して表示し、各放送局ごとのロゴマークのビットマップデータを上記記録媒体から読取って表示するとともに、上記記録媒体にロゴマークの記録されてない放送局に対して、予め登録されている標準のロゴマークのビットマップデータを表示する処理手段とから構成される。
【０００８】
また、この発明の録画装置は、放送を受信する放送受信手段と、この放送受信手段で受信されるかあるいは通信回線を介して供給される放送局ごとのロゴマークのビットマップデータを第１の記録媒体に記録する第１の記録手段と、上記放送受信手段で受信されるかあるいは通信回線を介して供給される番組ごとの番組情報から今後放送される各放送局ごとの番組に対する番組表を作成して表示し、各放送局ごとのロゴマークのビットマップデータを上記第１の記録媒体から読取って表示するとともに、上記第１の記録媒体にロゴマークの記録されてない放送局に対して、予め登録されている標準のロゴマークのビットマップデータを表示する処理手段と、この処理手段により表示されている番組表から録画する番組を選択する選択手段と、この選択手段により選択された番組の番組情報を録画予約情報として第２の記録媒体に記録する第２の記録手段と、この第２の記録手段に記録された録画予約情報に基づく番組が上記放送受信手段で受信された際に、この番組の放送内容を第３の記録媒体に記録する録画手段とから構成される。
【発明の効果】
【０００９】
以上詳述したようにこの発明によれば、電子番組表上に放送局毎のロゴマークを表示し、またロゴマークが存在しない放送局については放送形態に合わせた標準のロゴマークを表示することにより、番組表の一覧性を高め、ユーザの使い勝手を向上する効果がある電子番組表表示装置及び録画装置を提供することができる。
【図面の簡単な説明】
【００１０】
【図１】この発明の実施の形態を示すもので、ビデオレコーダの概略を説明するために示すブロック構成図。
【図２】電子番組表の表示例を示す図。
【図３】放送局のロゴマークを保存するファイルの構造図。
【図４】放送局のロゴマーク表示処理を説明するために示すフローチャート。
【発明を実施するための形態】
【００１１】
以下、この発明の実施の形態について、図面を参照して詳細に説明する。
【００１２】
図１は、この発明の実施の形態が適用される映像記録再生装置の構成の一例を示すブロック図である。
【００１３】
この映像記録再生装置は、受信アンテナ１０１からＴＶチューナ１０２を経て入力された映像信号と音声信号とを、それぞれビデオＡ／Ｄ変換器１０３、オーディオＡ／Ｄ変換器１０４にてデジタル信号に変換し、ＭＰＥＧエンコーダ１０５にてＭＰＥＧ符号化を行い、それをＤＶＤ−ＲＡＭドライブ１０６に挿入されたＤＶＤ−ＲＡＭメディア１０７、或いは本装置内に内蔵されたハードディスクドライブ１０８のハードディスク１０８ａに保存する。
【００１４】
そしてＭＰＥＧデコーダ１０９ではこれらに保存されたデータを復号化し、ビデオＤ／Ａ変換器１１０、オーディオＤ／Ａ変換器１１１を経て外部のＴＶモニタ１１２、スピーカ１１３に出力する。これらの制御は本装置内のマイクロプロセッサ１１４にて行う。このマイクロプロセッサ１１４には、イーサネット（登録商標）コントローラ１１５、不揮発性メモリ１１７、タイマ部１１８、リモコン受光部１１９が接続されている。
【００１５】
不揮発性メモリ１１７は、放送局ごとの標準のロゴマークのビットマップデータが予め登録されている。
【００１６】
また本装置にはイーサネットコントローラ１１５が装備されており、外部のネットワークルータ１１６を経由してインターネット上のＥＰＧサーバ１２０と通信を行うことが可能である。
【００１７】
本装置では、ＥＰＧサーバ１２０からインターネット経由で電子番組表のデータを受信し、ＴＶモニタ１１２上に電子番組表を表示する機能を有している。また、本装置は不揮発性メモリ１１７を備えており、予約録画のための予約情報を本メモリに保存することができる。
【００１８】
さらに、タイマ部１１８は、録画予約機能における現在の時刻情報及び時間経過の測定情報等を得るために機能する。また、リモコン受光部１１９は、前記リモートコントローラＲからワイヤレスで送信される操作情報を受信する機能を有する。
【００１９】
図２に、本装置上にて表示される電子番組表の例を示す。
【００２０】
本電子番組表は、インターネット上のＥＰＧサーバ１２０からイーサネットコントローラ１１５を経由して受信した電子番組表のデータ（番組ごとの番組情報により生成）を図２の形状で表示したものである。上記番組情報が、放送局（局コード）、開始日時、終了日時、タイトルにより構成されるものである。ＥＰＧサーバ１２０から受信した番組情報により生成する電子番組表データは、ハードディスクドライブ１０８によりハードディスク１０８ａに保存され、ユーザ操作により番組表を表示する際に都度番組表データを読み込んで表示を行う。
【００２１】
電子番組表には放送局毎のロゴマーク２０１を番組表左端のチャンネル番号表示部に表示する。このロゴマークは、放送局毎にＴＶチューナ１０２またはインターネットのＥＰＧサーバ１２０から受信し、ハードディスク１０８ａ内に保存している。また固有のロゴマークを取得していない放送局については、放送形態に合わせた標準のロゴマーク（例えば地上波アナログ放送なら「地上−Ａ」、ＢＳデジタル放送なら「ＢＳ−Ｄ」がデザインされたもの）を表示する。
【００２２】
図３に、放送局のロゴマークを保存するハードディスク１０８ａ内のロゴマーク保存ファイルの構造図を示す。
【００２３】
ロゴマーク保存ファイルでは、放送局を特定する放送局コードを保存している。またそのヘッダ部に対応するデータ部に、その放送局のロゴマークのビットマップデータが保存されている。ヘッダ部及びデータ部は、それぞれ番組表を表示する放送局の個数だけあらかじめ用意されている。
【００２４】
図４に、番組表を表示する際の放送局毎のロゴマークを取得する処理のフローチャートを示す。
【００２５】
番組表を表示するとき、表示する放送局の放送局コードをもとに、ハードディスク１0８ａ内のロゴマーク保存ファイルのヘッダ部分を検索する（ＳＴ１、２）。ヘッダ部分に該当する放送局コードがある場合（ＳＴ３）、対応するデータ部からロゴマークのビットマップデータを読み込み（ＳＴ４）、番組表上に表示する（ＳＴ５）。該当する放送局コードがヘッダ部に無い場合（ＳＴ３）、本装置にはその放送局固有のロゴマークが登録されていないことを意味するため、放送形態に合わせたビットマップデータを不揮発性メモリ１１７から読み込み（ＳＴ６）、それを番組表上に表示する（ＳＴ５）。
【００２６】
具体的には、図２に示すように、地上波アナログ放送であれば「地上−Ａ」、ＢＳアナログ放送であれば「ＢＳ−Ａ」、地上デジタル放送であれば「地上−Ｄ」、ＢＳデジタル放送であれば「ＢＳ−Ｄ」、ＣＳ放送であれば「ＣＳ」、ＣＡＴＶであれば「ＣＡＴＶ」がデザインされたロゴマークを表示する。
【００２７】
この発明により、番組表上に放送局固有のロゴマークを表示することができ、更に放送局固有のロゴマークを取得していない場合は放送形態に合わせたロゴマークを表示することができる。すなわち、放送局固有のロゴマークが定義されているデジタル放送と、定義されていないアナログ放送を同じ電子番組表上に同じデザインとして配置することが可能になる。
【符号の説明】
【００２８】
１０１…受信アンテナ、１０２…ＴＶチューナ、１０８…ＨＤＤ、１０８ａ…ハードディスク、１１２…ＴＶモニタ、１１４…マイクロプロセッサ、１１５…イーサネットコントローラ、１１６…ネットワークルータ、１１７…不揮発性メモリ、１１８…タイマ部、１２０…ＥＰＧサーバ。
【図１】
2010200374.tif 000003
【図２】
2010200374.tif 000004
【図３】
2010200374.tif 000005
【図４】
2010200374.tif 000006